(57)【要約】【課題】配布の容易性および顧客訴求力を実現する、簡易な構成の情報提供部材を提供する。【解決手段】本発明の情報提供部材１は、平板状であって、表面である第１表面４と裏面である第１裏面６を有する第１プレート２と、第１プレート２と組み合わされ、平板状であって表面である第２表面５と裏面である第２裏面７を有する第２プレート３を備え、第１裏面６と第２裏面７とは、第１プレート２と第２プレート３との組み合わせによって、相互に対向して外部から隠される。【選択図】図１
2013167680.tif 000002
【特許請求の範囲】
【請求項１】
平板状であって、表面である第１表面と裏面である第１裏面を有する第１プレートと、
前記第１プレートと組み合わされ、平板状であって表面である第２表面と裏面である第２裏面を有する第２プレートを備え、
前記第１裏面と前記第２裏面とは、前記第１プレートと前記第２プレートとの組み合わせによって、相互に対向して外部から隠される情報提供部材。
【請求項２】
前記第１プレートおよび前記第２プレートの少なくとも一方は、紙素材、樹脂素材、金属素材およびビニール素材の少なくとも一つで形成される、請求項１記載の情報提供部材。
【請求項３】
前記第１プレートと前記第２プレートは、嵌合によって組み合わされる、請求項１又は２記載の情報提供部材。
【請求項４】
前記第１プレートおよび前記第２プレートは、縦が２０ｃｍ以下であり横が１５ｃｍ以下である、請求項１から３のいずれか記載の情報提供部材。
【請求項５】
前記第１プレートは、前記第２プレートよりも面積が大きい、請求項１から４のいずれか記載の情報提供部材。
【請求項６】
前記第１表面もしくは前記第２表面の少なくとも一方は、情報提供を行う営業機関の氏名、名称および顧客のあて名の少なくとも一つを表示し、
前記第１表面もしくは前記第２表面の少なくとも一方であって残部は、前記営業機関のキャッチコピーを表示する、請求項１から５のいずれか記載の情報提供部材。
【請求項７】
前記第１裏面および前記第２裏面の少なくとも一方は、前記営業機関による特典、前記営業機関による提供サービスおよび前記営業機関の詳細の少なくとも一つを表示する、請求項６記載の情報提供部材。
【請求項８】
前記第１裏面および前記第２裏面の少なくとも一方は、前記第１プレートと前記第２プレートとが離隔することで、視認されるようになる、請求項１から７のいずれか記載の情報提供部材。
【請求項９】
前記第２プレートは、ジグソーパズルになっている、請求項１から８のいずれか記載の情報提供部材。
【請求項１０】
前記ジグソーパズルは、前記第１プレートと前記第２プレートとの嵌合によって、固定される、請求項９記載の情報提供部材。
【請求項１１】
前記第１プレートおよび前記第２プレートのいずれかと組み合わされる平板状の第３プレートを更に備える、請求項１から１０のいずれか記載の情報提供部材。
【発明の詳細な説明】
【技術分野】
【０００１】
本発明は、簡易な構造でシーンチェンジによりストーリー性を有する情報提供が可能であって、手渡し、配布、郵送、宅配など様々な場面で活用が可能な情報提供部材に関する。
【背景技術】
【０００２】
ダイレクトメールやクーポン雑誌など、店舗、販売店、病院、スポーツクラブ、飲食店などの様々な営業機関を宣伝する手段が多々存在する。これらの営業機関を宣伝する手段は、店舗や飲食店などに関する情報（名称、住所、連絡先）を表示しつつ宣伝文句や特典などを表示する。これらの表示によって、宣伝手段は、顧客に対して営業機関に関する情報を提供しつつ宣伝を行う。
【０００３】
これらの宣伝手段としては、上述の通り、ダイレクトメールやクーポン雑誌などの紙媒体を用いるものがある。紙媒体を用いるものは、不特定多数に配布が容易であり、準備の容易性と相まって、様々な営業機関が用いている。
【０００４】
一方で、近年はインターネット上での表示や携帯電話機への電子配信などによる電子媒体を用いる宣伝手段もある。電子媒体を用いる宣伝手段は、紙媒体と同じく、店舗や飲食店に関する情報を表示しつつ、宣伝文句や特典を表示する。電子媒体による宣伝手段は、紙媒体に比べて、紙資源を必要とせず低コストであるメリットを有している。加えて、近年の環境保護にも配慮した印象を与えることができる。
【０００５】
加えて、電子媒体による宣伝手段は、表示画面に表示される表示内容を次々に変化させることで、ストーリー性を有する情報提供を行うことができる。例えば、最初の場面では、店舗の住所などの情報だけが表示され、次の場面では、メニューなどが表示され、最後に特典（クーポンや割引情報など）が表示される。このように電子媒体による宣伝手段は、ストーリー性を有する情報を、顧客に提供できる。
【０００６】
しかしながら、電子媒体による宣伝手段は、電子媒体へのアクセスが可能な顧客にしか情報を提供できない問題もある。加えて、電子媒体にアクセス可能であって、対象となる店舗や飲食店を顧客が選択しなければ、当該電子媒体による情報提供は、顧客によって閲覧されない問題もある。もちろん、イベントや街頭において、宣伝物やおまけ用物品として、宣伝手段を配布することができない問題もある。もちろん、情報提供内容の作りこみにおいても、手間とコストが掛かる問題を有している。
【０００７】
すなわち、電子媒体による宣伝手段は、加工性やストーリー性などにおいて優れているが、手軽に配布して宣伝作業を行うことには不向きである。
【０００８】
これに対して、紙媒体の宣伝手段は、容易に配布することができるが、情報提供におけるストーリー性や工夫の余地が少ない。この結果、紙媒体の宣伝手段は、顧客に対する訴求力が低い問題がある。紙媒体の宣伝手段であるダイレクトメールやクーポン雑誌を受け取った顧客は、読み流したり捨てたりして、その宣伝手段の宣伝対象である店舗や飲食店に興味を持たないことがあるからである。また、ダイレクトメールやクーポン雑誌などは、その情報提供の仕方がパターン化されており、目新しさがないために、顧客は興味を示さない傾向にある。
【０００９】
このように、従来技術の宣伝手段は、配布の容易性および顧客訴求力を十分に両立できない問題を有していた。少子高齢化のトレンドにおいては、店舗や飲食店の宣伝や情報提供を効率よくかつ確実に行うことが求められる。加えて、顧客訴求力を高めて、宣伝に対する結果精度を高めることも必要である。
【００１０】
このような状況で、ダイレクトメールに使用される葉書きにおいて、頁を見開いていくつかのカテゴリーの情報を提供する技術も提供されている（例えば、特許文献１参照）。
【先行技術文献】
【特許文献】
【００１１】
【特許文献１】特開２０１１−６７９６９号公報
【発明の概要】
【発明が解決しようとする課題】
【００１２】
特許文献１は、最終的に廃棄をしやすい折りたたみ式の圧着葉書きを開示する。圧着葉書きによって、通常の葉書きでありながら圧着されている頁を開くことで、複数のカテゴリーの情報を提供することができる。また、特許文献１に開示される技術は、葉書きであるので、郵送することも可能であって、配布の容易性も有している。
【００１３】
しかしながら、特許文献１に開示される圧着葉書きでは、顧客が、葉書き裏面を見て興味を示さない場合には、わざわざその圧着をはがして折り畳み内部の面を確認しようとしないことも多い。特に、圧着葉書きは、店舗や飲食店の宣伝用のダイレクトメールであるだけでなく、公的機関からの案内やクレジットカード等の守秘義務による情報送付に用いられることが多い。このため、圧着葉書きを受け取った顧客は、店舗や飲食店の特典付きダイレクトメールとして受け取るよりも、面倒なものとして受け取る可能性がある。この結果、顧客のモチベーションは低下し、情報を確認しなかったり、情報を楽しく読み取ろうとしなかったりする問題もある。
【００１４】
このように、紙媒体を使う従来技術の宣伝手段は、顧客訴求力が弱いことに加え、顧客の情報入手や情報活用に対するモチベーションを高めることができない問題を有していた。
【００１５】
特に、従来技術の宣伝手段が、次のような問題を有している。
（問題１）配布の容易性を有していない。
（問題２）イベントや街頭での集中的な配布や、郵送などの個別配布などの、配布の多様性を有していない。
（問題３）宣伝手段の表面が、顧客の気を引くようになっていない。
（問題４）情報の提供態様、宣伝手段の構成が、顧客に対して、情報を見たいというモチベーションを引き起こしていない。
【００１６】
これらの事情によって、従来技術は、配布の容易性と顧客訴求力を十分に実現できない問題を有していた。
【００１７】
本発明は、これらの課題に鑑み、問題１〜問題４を解消しつつ、配布の容易性および顧客訴求力を実現する、簡易な構成の情報提供部材を提供することを目的とする。
【課題を解決するための手段】
【００１８】
上記課題に鑑み、本発明の情報提供部材は、平板状であって、表面である第１表面と裏面である第１裏面を有する第１プレートと、第１プレートと組み合わされ、平板状であって表面である第２表面と裏面である第２裏面を有する第２プレートを備え、第１裏面と第２裏面とは、第１プレートと第２プレートとの組み合わせによって、相互に対向して外部から隠される。
【発明の効果】
【００１９】
本発明の情報提供部材は、紙や樹脂などの、幅広い意味での紙媒体を用いるのに加えて、取扱しやすい大きさであるので、郵送や宅配便で送付されることも容易であるし、イベントや街頭で集中的に配布されることも容易である。このため、情報提供部材は、様々な顧客チャネルに、様々な態様で、配布される。
【００２０】
また、本発明の情報提供部材は、受け取り時に確認できる情報面と、開くことで確認できる情報面とを有するので、シーンチェンジによってストーリー性を提供できる。このようなストーリー性によって、情報提供部材は、顧客に対して、段階的な情報提供を行える。
【００２１】
また、開くことで確認できる情報面を視認できるようにするには、顧客の遊び心をくすぐる工夫が凝らされていることで、開くことで確認できる情報面を確認するモチベーションが高まる。
【００２２】
これらが相まって、本発明の情報提供部材は、配布容易性と顧客訴求力とのバランスを取りつつ、宣伝効率を上げることができる。
【図面の簡単な説明】
【００２３】
【図１】実施の形態１における情報提供部材の斜視図である。
【図２】本発明の実施の形態１における情報提供部材の斜視図である。
【図３】本発明の実施の形態２における情報提供部材の斜視図である。
【図４】本発明の実施の形態２における情報提供部材の斜視図である。
【図５】本発明の実施の形態２における第２プレートの正面図である。
【図６】本発明の実施の形態２における第１表面の正面図である。
【発明を実施するための形態】
【００２４】
本発明の第１の発明に係る情報提供部材は、平板状であって、表面である第１表面と裏面である第１裏面を有する第１プレートと、第１プレートと組み合わされ、平板状であって表面である第２表面と裏面である第２裏面を有する第２プレートを備え、第１裏面と第２裏面とは、第１プレートと第２プレートとの組み合わせによって、相互に対向して外部から隠される。
【００２５】
この構成により、情報提供部材は、少なくとも４つの面によって、段階的な情報の提供を行える。
【００２６】
本発明の第２の発明に係る情報提供部材では、第１の発明に加えて、第１プレートおよび第２プレートの少なくとも一方は、紙素材、樹脂素材、金属素材およびビニール素材の少なくとも一つで形成される。
【００２７】
この構成により、情報提供部材は、取扱が容易となって配布も容易となる。
【００２８】
本発明の第３の発明に係る情報提供部材では、第１又は第２の発明に加えて、第１プレートと第２プレートは、嵌合によって組み合わされる。
【００２９】
この構成により、情報提供部材は、第１プレートと第２プレートとの組み合わせによって構成されやすくなる。
【００３０】
本発明の第４の発明に係る情報提供部材では、第１から第３のいずれかの発明に加えて、第１プレートおよび第２プレートは、縦が２０ｃｍ以下であり横が１５ｃｍ以下である。
【００３１】
この構成により、情報提供部材は、郵送などによっても配布されやすくなる。
【００３２】
本発明の第５の発明に係る情報提供部材では、第１から第４のいずれかの発明に加えて、第１プレートは、第２プレートよりも面積が大きい。
【００３３】
この構成により、第２プレートが第１プレートに嵌めこまれて、取扱や取り外しが容易となる。
【００３４】
本発明の第６の発明に係る情報提供部材では、第１から第５のいずれかの発明に加えて、第１表面もしくは第２表面の少なくとも一方は、情報提供を行う営業機関の氏名、名称および顧客のあて名の少なくとも一つを表示し、第１表面もしくは第２表面の少なくとも一方であって残部は、営業機関のキャッチコピーを表示する。
【００３５】
この構成により、情報提供部材は、第１プレートと第２プレートが組み合わされている状態で、受取人に興味を持たせる情報を提供できる。
【００３６】
本発明の第７の発明に係る情報提供部材では、第６の発明に加えて、第１裏面および第２裏面の少なくとも一方は、営業機関による特典、営業機関による提供サービスおよび営業機関の詳細の少なくとも一つを表示する。
【００３７】
この構成により、第２プレートを取り外した後で、有益な情報を提供できる。
【００３８】
本発明の第８の発明に係る情報提供部材では、第１から第７のいずれかの発明に加えて、第１裏面および第２裏面の少なくとも一方は、第１プレートと第２プレートとが離隔することで、視認されるようになる。
【００３９】
この構成により、シーンチェンジによる段階的な情報提供を、受取人は、得ることができる。
【００４０】
本発明の第９の発明に係る情報提供部材では、第１から第８のいずれかの発明に加えて、第２プレートは、ジグソーパズルになっている。
【００４１】
この構成により、受取人の遊び心を引き起こすことができる。
【００４２】
本発明の第１０の発明に係る情報提供部材では、第９の発明に加えて、ジグソーパズルは、第１プレートと第２プレートとの嵌合によって、固定される。
【００４３】
この構成により、ジグソーパズルが取り扱いやすくなる。また、情報提供部材の情報提供後に、玩具としての再利用も可能となる。
【００４４】
本発明の第１１の発明に係る情報提供部材では、第１から第１０のいずれかの発明に加えて、第１プレートおよび第２プレートのいずれかと組み合わされる平板状の第３プレートを更に備える。
【００４５】
この構成により、情報提供部材は、情報提供量を多くできる。
【００４６】
以下、図面を参照しながら、本発明の実施の形態を説明する。
【００４７】
（実施の形態１）
【００４８】
図１は、実施の形態１における情報提供部材の斜視図である。情報提供部材１は、第１プレート２と第１プレート２と組み合わされる第２プレート３を備える。第１プレート２は、平板状であり、表面である第１表面４と裏面である第１裏面６を有する。ここで、第１裏面６は、第２プレート３との組み合わせにより図１では隠れている。
【００４９】
第２プレート３も、第１プレート２と同様に平板状であり、表面である第２表面５と、裏面である第２裏面７を有する。第２裏面７は、第１プレート２と第２プレート３との組み合わせによって、図１では隠れている。
【００５０】
第１プレート２と第２プレート３は、相互に組み合わされる。例えば、図１に示されるように、第１プレート２に第２プレート３が嵌合する。このように、第１プレート２と第２プレート３とが組み合わされることで、一体である情報提供部材１が構成される。第１プレート２と第２プレート３のそれぞれは、平板状であるので、第１プレート２と第２プレート３とが組み合わされると、それぞれの裏面同士が対向して、第１裏面６および第２裏面７は、外部からかくされるようになる。
【００５１】
情報提供部材１は、通常の状態では、第１表面４および第２表面５が、外部から視認される状態である。図１は、情報提供部材１の斜視図であって第２プレート３側から見た状態を示しているので、第２表面５が視認される状態である。もちろん、情報提供部材１がひっくり返されれば、第１表面４が視認される状態となる。
【００５２】
このように、情報提供部材１は、第１プレート２と第２プレート３とが組み合わされた状態を最初の状態として受け渡される。このため、受取人は、第１表面４および第２表面５のいずれかを最初に視認して把握できる。第１プレート２と第２プレート３とは、取り外し可能に組み合わされているので、第１プレート２と第２プレート３が取り外されて別々になれば、第１裏面６および第２裏面７が露出するようになる。受取人は、第１プレート２と第２プレート３とを別々にした後で、第１裏面６と第２裏面７を視認して把握できるようになる。
【００５３】
情報提供部材１は、通常状態では平板状で受け渡しを行いやすく、受け取り後に段階的でストーリー性のある情報を提供できる。このような段階的でストーリー性のある情報が提供されることで、受取人は、情報提供部材１への興味を有しやすくなる。結果として、情報提供部材１は、受取人に高い確率で読まれるようになり、情報提供部材１は、営業販促品などでの効果を示すようになる。
【００５４】
（情報提供部材の機能）
情報提供部材１は、飲食店、店舗、サービス業、公的機関などの様々な業種の営業機関によって提供される。情報提供部材１は、郵送、イベントでの配布、街角での配布、店舗での配布、ダイレクトメール便などの種々の手段で、不特定多数あるいは特定者に渡される。受取人は、情報提供部材１を受け取って、情報提供部材１による情報提供を把握するようになる。
【００５５】
情報提供部材１は、第１プレート２と第２プレート３とが組み合わされた通常の状態では、第１表面４と第２表面５を、視認させるようにできる。情報提供部材１を受け取った受取人は、情報提供部材１の第１表面４と第２表面５を、最初に視認できる。例えば、第１表面４および第２表面４の少なくとも一方は、情報提供を行う営業機関の氏名、名称およびあて名の少なくとも一つを表示する。このため、受取人は、この第１表面４および第２表面５の少なくとも一方に表示された名称などを視認して把握できる。
【００５６】
すなわち、最初に受け取った段階では、受取人は、情報提供部材１に露出している第１表面４もしくは第２表面５の表示を視認する。この視認によって、第１表面４および第２表面５の表示情報を把握できる。
【００５７】
例えば、ある飲食店の名称が表示されていたり、受取人のあて名が表示されていたりする。受取人は、情報提供部材１の第１表面４もしくは第２表面５を見ることで、この飲食店の名称やあて名をすぐに確認できる。第１表面４および第２表面５は、情報提供部材１の外部に露出しているので、受取人は、第１表面４もしくは第２表面５に表示される営業機関の名称やあて名をすぐに把握できる。
【００５８】
一方、第１表面４および第２表面５の少なくとも一方であって残部は、営業機関のキャッチコピーを表示する。第１表面４および第２表面５は、第１プレート２と第２プレート３とが組み合わされた通常状態でも露出しているので、受取人は、このキャッチコピーを最初に視認できる。図１は、第２表面５を示しているが、この第２表面５は、「おいしいレストラン」とのキャッチコピーを表示している。受取人は、このキャッチコピーによって、受け取った情報提供部材１に高い興味を有するようになる。
【００５９】
また、図１では、図示されていないが、第１表面４には、営業機関の名称などが表示されていて、キャッチコピーに続いてこの営業機関の名称を把握する。キャッチコピーと名称との連結によって、受取人は、営業機関による情報提供に興味を示すようになる。
【００６０】
情報提供部材１では、第２プレート３は、第１プレート２から取り外し可能である。図２は、本発明の実施の形態１における情報提供部材の斜視図である。図２は、第１プレート２から第３プレート３が取り外された状態を示している。第２プレート３が第１プレート３から取り外されることで、第１プレート２の第１裏面６が露出する。当然ながら、第２プレート３の第２裏面７も露出する。図２は、情報提供部材１を上方から見た状態を示しているので、第１裏面６は図示されているが、第２裏面７は、第２プレート３によって見えない。しかしながら、第２プレート３をひっくり返すことで、第２裏面７も見えるようになる。
【００６１】
ダイレクトメールやチラシなどの従来技術の情報提供部材では、露出している表面のみの情報提供しかできない。このため、受取人は一瞥しただけでそれ以上の興味を持たないことが多い。仮にお得な情報が表示されているとしても、見飽きた情報の氾濫として処理してしまう可能性がある。
【００６２】
しかしながら、実施の形態１の情報提供部材１は、第１プレート２から第２プレート３を取り外すことができる。図１、図２のように、第１プレート２内部に第２プレート３が嵌合している場合には、第２プレート３が第１プレート２から取り外し可能であることがすぐに認識できるので、受取人は、第２プレート３を取り外したいという欲求を抱く。この結果、受取人は、第２プレート３を取り外すようになる。
【００６３】
図２に示されるように、第１プレート２と第２プレート３とが離隔することで、隠されていた第１裏面６と第２裏面７とが、視認されるようになる。受取人は、第１裏面６と第２裏面７に表示される情報を把握できるようになる。特に、第２プレート３が第１プレート２から取り外されると、第１プレート２の第１裏面６が露出される。この結果、受取人は、第２プレート３の取り外しの後に、最初に第１裏面６を視認できる。
【００６４】
これは、情報提供部材１が、シーンチェンジを提供することである。シーンチェンジによって、新たな情報が表示されることで、受取人は、シーンチェンジ後の新たな情報に興味を抱くようになる。
【００６５】
第１裏面６は、情報提供部材１のシーンチェンジの最初に受取人にとって目に触れる部分となる。これは、第１裏面６が、受取人の注意を引く部分であることを示す。また、第２プレート３をひっくり返すと、第２裏面７も受取人によって視認されるようになる。すなわち、２回目のシーンチェンジにおいて、第２裏面７は、受取人に情報を提供することになる。
【００６６】
これらのように、第１プレート２と第２プレート３とが組み合わされている通常状態から、第２プレート３を取り外すシーンチェンジが生じる。シーンチェンジが生じることは、受取人に新たな情報の期待を抱かせるようになる。第１表面４、第２表面５は、店舗名やキャッチコピーだけであったのが、新たな情報の表示によって、受取人自身にとってのメリットのある情報が得られることを、受取人に期待させるからである。
【００６７】
第１裏面６および第２裏面７の少なくとも一方は、情報提供部材１を提供する営業機関による特典、営業機関による提供サービスおよび営業機関の詳細の少なくとも一つを表示する。図２では、第１裏面６は、情報提供部材１の提供主体である飲食店の特典を表示する。図２では、特典としてのサービス内容が表示されている。受取人は、この第１裏面６の特典情報を見て、情報提供部材１の提供主体である営業機関への興味を更に有するようになる。
【００６８】
更に、例えば第２裏面７は、特典を受けるための条件（例えば、クーポン番号や引換え条件など）を表示している。第１裏面６の表示に興味を持った受取人は、第２裏面７の表示にも興味を持つようになるので、第１プレート２から取り外された第２プレート３の第２裏面７も確認しようと考える。この確認の結果、特典の使用条件や使用態様を受取人が確認する。この確認によって、情報提供部材１の提供者である営業機関の宣伝や広告を、受取人は、より確実に把握できるようになる。これは、営業機関にとっては、高い効率で、宣伝効果を生じさせることにつながる。
【００６９】
このように、実施の形態１の情報提供部材１は、受取人に対して第１プレート２と第２プレート３との取り外しという動作による一つ目のシーンチェンジ、第２プレート３の裏返しによる２つ目のシーンチェンジによる情報展開への興味を高めることができる。シーンチェンジが生じると、受取人は、次に表示される情報に興味を有するようになるので、新たに表示される情報を強い意識で読むようになる。
【００７０】
加えて、通常状態では、第１表面４および第２表面５には、キャッチコピーや営業機関の名称などを表示し、最初のシーンチェンジ後では、第１裏面６が営業機関の特典を表示し、次のシーンチェンジ後では、第２裏面７が営業機関の特典を表示する。このように、シーンチェンジに合わせて、情報提供部材１は、ストーリー性のある情報提供を行う。このストーリー性によって、情報提供部材１は、受取人に更に興味を持たせることができる。これらの結果、情報提供部材１は、より高いモチベーションを受取人に与えて、宣伝広告機能を果たすことができる。
【００７１】
これらのシーンチェンジとストーリー性とが相まって、情報提供部材１は、提供主体の宣伝広告機能を高めることができる。
【００７２】
次に、各部の詳細について説明する。
【００７３】
（第１プレートと第２プレート）
第１プレート２および第２プレート３のそれぞれは、平板状である。また、第１プレート２および第２プレート３の少なくとも一方は、紙素材、樹脂素材、金属素材およびビニール素材の少なくとも一つで形成される。これらの素材であることで、取扱が容易となり平板状の部材とできるからである。また、第１プレート２および第２プレート３のそれぞれは、情報を表示する必要があるが、これらの素材であることで、情報の印刷や表示が容易である。
【００７４】
第１プレート２と第２プレート３とは、相互に取り外し可能に組み合わされる。この組み合わせによって、外見上一体である情報提供部材１が構成される。すなわち、第１プレート２と第２プレート３とは、情報提供部材１の主たる構成要素である。このため、第１プレート２と第２プレート３の外形によって、情報提供部材１の外形も定まる。
【００７５】
情報提供部材１は、郵送、イベントでの配布、街角での配布、店舗での配布、ダイレクトメール便などの種々の手段で受取人に渡される。このため、郵送や配布に適した形状、大きさ、重さであることが好ましい。この点で、第１プレート２および第２プレート３は、紙素材や樹脂素材であることが適当である。これらの素材であることで、重さや取扱が容易となるからである。
【００７６】
また、配布や郵送を考慮すると、第１プレート２および第２プレート３は、縦が２０ｃｍ以下、横が１５ｃｍ以下であることが適当である。この大きさであれば、手作業による配布も郵送による送付も容易だからである。また、この大きさであれば、受取人も取り扱いが容易である。例えば、情報提供部材１が、営業機関での特典交換の素材としても用いられる場合には、受取人は、情報提供部材１を営業機関に持参する必要がある。この場合にも、上述の大きさであれば、受取人にとって好都合である。
【００７７】
なお、上述の大きさは例示であり、この大きさに厳密に限定されるものではない。
【００７８】
また、第１プレート２と第２プレート３とは、組み合わされて使用される。組み合わせによって、一つの部材である情報提供部材１が構成されることと、シーンチェンジによるストーリー性のある情報提供を可能にするためである。
【００７９】
ここで、第１プレート２と第２プレート３とは、組み合わされつつも受取人によって取り外し可能であることが必要である。このため、第１プレート２と第２プレート３とは、嵌合可能であることも好適である。このとき、図１、図２に示されるように、第１プレート２は第２プレート３よりも面積が大きいことで、第１プレート２のある面に第２プレート３が積層されるように嵌合されることも好適である。
【００８０】
このような嵌合の態様によって、第１プレート２と第２プレート３とが容易に組み合わされつつ取り外し可能となる。この結果、通常状態で視認できる第１表面４と第２表面５、および取り外し後のシーンチェンジによって視認できる第１裏面６と第２裏面７との視認が可能となる。
【００８１】
（第１表面〜第２裏面）
第１表面４は、第１プレート２の通常状態での露出面である。第２表面５は、第２プレート３の通常状態での露出面である。それぞれの露出によって、第１プレート２と第２プレート３とが組み合わされている通常状態で、受取人は、第１表面４および第２表面５の表示情報を視認できる。
【００８２】
このため、第１表面４および第２表面５は、提供主体である営業機関の名称、あて名、キャッチコピーなどを表示することが好ましい。提供主体を把握させつつ受取人の興味を惹くことができるからである。
【００８３】
このとき、キャッチコピーなどの同種の情報が、第１表面４と第２表面５のそれぞれに分割されて表示されても良いが、いずれかに表示されることが好ましい。第１表面４ではあて名や名称が確認でき、第２表面５ではキャッチコピーが確認されることが、受取人の興味を高めるからである。
【００８４】
第１裏面６と第２裏面７とは、既に述べたように、通常状態では相互に対向して隠れている。第１プレート２と第２プレート３とが取り外されることで、第１裏面６と第２裏面７とが露出して、情報を視認させることが可能となる。
【００８５】
このとき、第１プレート２が第２プレート３よりもその面積が大きい場合には、第２プレート３が第１プレート２に嵌合している。図１に示されるとおりである。このような場合には、図２に示されるように、第１プレート２から第２プレート３が取り外される。この結果、第１裏面６がまず露出して、受取人によって視認される。次いで、第２プレート３が裏返されることで、第２裏面７が視認されるようになる。
【００８６】
このことを利用すれば、第１裏面６は、営業機関の特典を表示し、第２裏面７は、特典の利用法や営業機関の詳細情報を表示するのが好ましい。シーンチェンジにあわせたストーリー性のある情報展開が実現できるからである。
【００８７】
なお、第１表面４〜第２裏面７のそれぞれは、印刷やシールによって情報を表示すればよい。また、色彩や写真などを用いて情報を表示しても良い。ここでは、第１表面４〜第２里面７のそれぞれが表示する情報の種類を特定したが、これに限られるものではない。シーンチェンジおよびストーリー性のある情報展開を実現できるのであれば、情報提供部材１の製作者もしくは提供者の都合や工夫によって、表示される情報が決定されればよい。
【００８８】
以上のように、実施の形態１における情報提供部材１は、宣伝効果を高める情報提供を可能とする。
【００８９】
（実施の形態２）
【００９０】
次に、実施の形態２について説明する。実施の形態２では、受取人の興味や情報把握のモチベーションを更に高めさせる工夫について説明する。
【００９１】
（ジグソーパズル）
第２プレート３は、第１プレート２から取り外されることで、隠されていた第１裏面６および第２裏面７を露出させる。情報提供部材１は、シーンチェンジとストーリー性のある情報提供を目しているので、第１裏面６および第２裏面７に特典や店舗の詳細情報などの次に見てほしい情報を表示する。このため、情報提供部材１は、受取人に第２プレート３を取り外してもらうことを重要とする。
【００９２】
図１、図２に示されるように、第２プレート３が第１プレート２に嵌合している場合には、受取人は興味を持つので第２プレート３を第１プレート２から取り外そうとする。しかし、嵌合していることに気づかなかったり、気づいても興味を持たなかったりすることもありえる。
【００９３】
受取人に第２プレート３を取り外すモチベーションを高めるために、第２プレート３が単なるプレートだけではなく、遊び心のある部材であることも適当である。例えば、第２プレート３は、ジグソーパズルになっていることも好適である。図３は、本発明の実施の形態２における情報提供部材の斜視図である。図３は、第２プレート３の方向から見た状態を示している。図３に示される情報提供部材１では、第２プレート３がジグソーパズルになっている。
【００９４】
第２プレート３は、ジグソーパズルを構成するパズルピース３１を備え、複数のパズルピース３１が、第１プレート２における第２プレート３と嵌合する領域を埋めている。このため、第１プレート２は、第２プレート３を構成するジグソーパズルの台紙のようになっている。すなわち、ジグソーパズルのパズルピース３１は、第１プレート２と第２プレート３との嵌合によって固定される。
【００９５】
ジグソーパズルは、第２プレート３の大きさに合わせて、そのパズルピース３１の個数を決めればよい。ただ、第２プレート３は、第１プレート２から取り外すための興味を高めるためにジグソーパズルとなっているので、パズルピース３１の個数や形状を複雑にする必要はない。簡単なジグソーパズルで十分である。また、第２プレート３は、第２表面５を有しており、この第２表面５は、ジグソーパズルの表面となる。このため、ジグソーパズルの表面が、種々の情報を表示する。
【００９６】
第２表面５であるジグソーパズルの表面は、図１の場合と同様にキャッチフレーズなどを表示する。このキャッチフレーズによって、受取人は、情報提供部材１に興味を持つだけでなく、ジグソーパズルにも興味を持つようになる。あるいは、第２表面５は、ジグソーパズルの裏に有益な情報が隠されていることを示しても良い。これにより、受取人は、ジグソーパズルを外して、第１裏面６の情報を見ようとするようになる。
【００９７】
図４は、本発明の実施の形態２における情報提供部材の斜視図である。図４は、第２プレート３を構成するいくつかのパズルピース３１が第１プレート２から取り外された状態を示している。このような状態は、第２プレート３の一部が第１プレート２から取り外された状態である。この結果、取り外されたパズルピース３１の部分において、第１裏面６が露出するようになる。第１裏面６は、店舗の特典などの有益な情報を表示していることが多く、受取人は、パズルピース３１を外したことのメリットを感じるようになる。もちろん、全部のパズルピース３１を取り外せば、第１裏面６が全て露出して、受取人は、有益な情報を享受できる。
【００９８】
このように、第２プレート３がジグソーパズルであることで、受取人は遊び心をくすぐられ、第１裏面６の情報を得ようと考える。特に、パズルピース３１を取り外そうとする欲求が生じる。その後、一部のパズルピース３１を取り外すだけで有益そうな情報を視認できるので、受取人は、全てのパズルピース３１を取り外すようになる。これらの結果、第１プレート２の第１裏面６の情報を目にできるようになる。この点でも、第１裏面６は、ストーリー性を持って情報提供をできる。
【００９９】
また、第２プレート３がジグソーパズルであって、パズルピース３１が第１プレート２から取り外されると、このジグソーパズルを組み立てたいとの欲求を、受取人は有するようになる。ジグソーパズルを組みたてると、図５に示されるように、第２プレート３の第２裏面７が表示されるようになる。すなわち、ジグソーパズルの裏側である。第２裏面７は、店舗や飲食店などの営業機関の詳細情報（住所や連絡先など）を表示している。この結果、第１裏面６で確認した特典を使う使い方を、第２裏面７で受取人は、確認できる。図５は、本発明の実施の形態２における第２プレートの正面図である。
【０１００】
パズルピース３１を取り外して把握した第１裏面６に表示される特典情報に続いて、受取人は、特典の行使を把握できる。すなわち、ストーリー性のある情報を把握できる。
【０１０１】
特に、ジグソーパズルは玩具の一つであるので、子供は興味を有する。情報提供部材１は、イベントや店舗で配布されたり、郵送されたりする。最初に情報提供部材１を最初に受け取るのは大人であることが多いが、家族連れなどであれば情報提供部材１が大人から子供に渡されることも多い。
【０１０２】
このように、情報提供部材１を受け取った子供は、ジグソーパズルになっていることを喜んで、玩具として取り扱う。この場合には、子供に渡す前に大人が第１表面４および第２表面５に表示されている情報を確認している。次に、子供がパズルピース３１を取り外した後で、第１裏面６の情報も、子供を通じて大人が確認できる。もちろん子供も確認できる。
【０１０３】
一方、パズルピース３１を取り外した後で、子供は（もちろん大人も）ジグソーパズルを組み立てたいとの欲求を持つようになり、ジグソーパズルを組み立てて表示される第２裏面７を見るようになる。この結果、特典の行使に必要な情報も得ることができる。
【０１０４】
このように、第２プレート３がジグソーパズルになっていることで、第１表面４、第２表面５、第１裏面６、第２裏面７の順番にシーンチェンジしてストーリーを有する情報を、受取人は順に見ることができるようになる。この結果、受取人は、情報提供部材１によって提供される情報の把握に努めるようになる。情報提供部材１の宣伝・広告能力が高いことになる。
【０１０５】
なお、ジグソーパズルとなっている第２プレート３を有する情報提供部材１は、子供や家族連れに配布されることも好適である。上述の理由の通りである。また、情報提供部材１の情報提供後に、玩具としての再利用も可能となる。
【０１０６】
（郵送の容易性）
情報提供部材１は、商店やイベントで配布されてもよいが、ダイレクトメールのように郵送されても良い。郵送されることで、より効率的かつ広範に配布されるからである。
【０１０７】
情報提供部材１は、紙素材や樹脂素材で形成され、平板状の第１プレート２と第２プレート３との組み合わせによって構成される。また大きさも上述のように一定の大きさ以下にされれば、平板状かつ所定の大きさを有する部材となる。
【０１０８】
このため、情報提供部材１は、封筒に入れられたりすることなく、そのままの状態で郵送されても良い。このため、第１プレート２の第１表面４は、郵送用の表示を有することも好適である。図６は、本発明の実施の形態２における第１表面の正面図である。図６の第１表面４は、郵送用の表示を有している。郵便番号やあて名などを表示している。
【０１０９】
第１表面４が、このような郵送用の表示を有していることで、情報提供部材１は、そのまま郵送されることができる。この結果、郵送された情報提供部材１を受け取った受取人は、情報提供部材１をひっくり返して第２表面５を確認して、情報提供部材１の表示する情報を確認できる。もちろん、第２プレート３を外して、第１裏面６や第２裏面７の情報も確認できる。これにより、情報提供部材１は、宣伝・広告の役割を果たすことができる。
【０１１０】
（第３プレート）
実施の形態１、２では、第１プレート２と第２プレート３とを有する情報提供部材１について説明したが、これらに限られるものではない。第３プレートや第４プレートなど、更なるプレートが組み合わされてもよい。例えば、情報提供部材１は、第１プレート２および第２プレート３のいずれかと組み合わされる第３プレートを更に有してもよい。第３プレートが備わることで、情報提供部材１は、更なるシーンチェンジを生じさせることができる。この結果、より様々な情報を提供でき、特に、ストーリー性を持って情報を提供できる。
【０１１１】
以上のように、本発明の情報提供部材１は、受取人の遊び心も生じさせながら、プレートの取り外しによるシーンチェンジを利用して、段階的でストーリー性のある情報を提供できる。特に、情報提供部材１は、本のようにページを開いていく面倒もなく、葉書きやチラシのように一瞥されるだけでもない。この結果、情報提供部材１は、高い効率の宣伝・広告を実現でき、提供主体の営業ツール、販促ツールとして適用されるようになる。もちろん、配布も容易であり、受取人への興味も引き立てやすい。
【０１１２】
なお、実施の形態１〜２で説明された情報提供部材は、本発明の趣旨を説明する一例であり、本発明の趣旨を逸脱しない範囲での変形や改造を含む。
【符号の説明】
【０１１３】
１    情報提供部材
２    第１プレート
３    第２プレート
４    第１表面
５    第２表面
６    第１裏面
７    第２裏面
３１    パズルピース
【図１】
2013167680.tif 000003
【図２】
2013167680.tif 000004
【図３】
2013167680.tif 000005
【図４】
2013167680.tif 000006
【図５】
2013167680.tif 000007
【図６】
2013167680.tif 000008